(57)【要約】      （修正有）【課題】バックル全体を薄手に形成することができ、かつ、ベルトの保持を確実に行うことができる、ベルト用バックルを提供する。【解決手段】ベルト用バックル１００は、バックル本体２と、バックル本体２に対して回動可能に設けられる操作体３と、操作体３に従動するベルト係止部４とを備え、バックル本体２は、バックル枠体２２とベルト連結体２１とが一体に形成され、バックル枠体２２が操作体３内に嵌合可能に設けられ、バックル枠体２２は、先端にベルト挿通用開口部を備えている。【選択図】図１
0003231345.tif 000002
【実用新案登録請求の範囲】
【請求項１】
バックル本体と、バックル本体に対して回動可能に設けられる操作体と、該操作体に従動するベルト係止部とを備え、
バックル本体は、バックル枠体とベルト連結体とが一体に形成され、
前記バックル枠体が前記操作体内に嵌合可能に設けられていることを特徴とするベルト用バックル。
【請求項２】
前記バックル枠体は、先端にベルト挿通用開口部を備えていることを特徴とする請求項１に記載のベルト用バックル。
【請求項３】
バックル枠体は、先端枠と該先端枠に直交する二本の側枠と、該二本の側枠の裏面からそれぞれ起立する脚部と、該脚部間に架橋される保持枠とを備え、少なくとも前記先端枠と前記二本の脚部と前記保持枠によって、前記ベルト挿通用開口部を形成し、
前記バックル枠体が前記操作体内に嵌合した状態で、前記二本の脚部と前記保持枠が操作体から突出していることを特徴とする請求項２に記載のベルト用バックル。
【請求項４】
操作体は、一端に先端枠部を備え、他端側に回動中心部を備え、回動中心部の近傍に操作体側当接部を備え、
前記ベルト係止部は、ベルトに係止するための係止突起と、前記操作体側当接部が当接する係止部側当接部を備え、
前記ベルト連結部は、前記係止突起が出入り可能な逃がし部を備え、
前記係止突起とベルト連結部における前記逃がし部内の底面との間にばねを備え、
前記バックル枠体が前記操作体内に嵌合した状態で、前記ばねの付勢によって前記操作体側当接部と掛止部側当接部との当接が維持され、
前記ばねの付勢に抗して、前記バックル枠体から前記操作体が離脱した状態で、前記係止突起が逃がし穴内へ入り込むようにしたことを特徴とする請求項１から３のいずれか１項に記載のベルト用バックル。
【請求項５】
操作体は、装飾部を備えたことを特徴とする請求項１から４のいずれか１項に記載のベルト用バックル。
【考案の詳細な説明】
【技術分野】
【０００１】
本考案は、ズボン、スカート等のウエスト部に装着されるベルトに用いられるバックル（以下、ベルト用バックルという。）に関する。
【背景技術】
【０００２】
従来、ベルトに係止穴を設けることなく、ベルトの裏面に設けた複数の条列に対して、係合突起を係止させるベルト用バックルであって、バックルを構成するレバー（操作体）を引き上げることにより、係合突起の係止を解除するベルト用バックルが公知である（例えば、特許文献１参照。）。
【先行技術文献】
【特許文献】
【０００３】
【特許文献１】特開２０２０−１４１７１５
【考案の概要】
【考案が解決しようとする課題】
【０００４】
上記特許文献１によれば、バックル本体にレバーを連結した構成を有するため、バックル全体が薄手に形成できる利点がある。しかしながら、使用時において、レバーとベルトは分離されており、レバーではベルトを固定することができないことから、ベルト用バックルの裏面でベルトの保持が十分に行えず、ベルトの保持が不安定となる欠点があった。
【０００５】
本考案は以上の事情に鑑みてなされたものであり、バックル全体を薄手に形成することができ、かつ、ベルトの保持を確実に行うことができる、ベルト用バックルの提供を、考案が解決しようとする課題とする。
【課題を解決するための手段】
【０００６】
本考案は、バックル本体と、バックル本体に対して回動可能に設けられる操作体と、該操作体に従動するベルト係止部とを備え、
バックル本体は、バックル枠体とベルト連結体とを一体に形成され、
前記バックル枠体が前記操作体内に嵌合可能に設けられていることを特徴とするベルト用バックルを、上記課題を解決するための手段とする。
【考案の効果】
【０００７】
本考案によれば、バックル本体と、バックル本体に対して回動可能に設けられる操作体と、該操作体に従動するベルト係止部とを備え、バックル本体は、バックル枠体とベルト連結体とを一体に形成され、前記バックル枠体が前記操作体内に嵌合可能に設けられた構成としたことから、バックル枠体が操作体内に嵌合することで、バックル全体を薄手に形成することができ、バックル枠体を備えることによってベルトを安定的に保持することができる。
【図面の簡単な説明】
【０００８】
【図１】本発明の実施例１に係るベルト用バックルの（ａ）側面図、（ｂ）分解状態の側面図である。
【図２】本発明の実施例１に係るベルト用バックルの（ａ）斜視図、（ｂ）分解状態の斜視図である。
【図３】本発明の実施例１に係るベルト用バックルとベルトの（ａ）係止状態を示す一部断面とした説明図、（ｂ）係止解除状態を示す一部断面とした説明図である。
【図４】本発明の他の実施例に係るベルト用バックルであって（ａ）操作体を板状としたもの、（ｂ）操作体に装飾部を設けたものを示す斜視図である。
【考案を実施するための形態】
【０００９】
本考案によれば、バックル本体と、バックル本体に対して回動可能に設けられる操作体と、該操作体に従動するベルト係止部とを備え、バックル本体は、バックル枠体とベルト連結体とが一体に形成され、前記バックル枠体が前記操作体内に嵌合可能に設けられていることを特徴とするベルト用バックルとすることができる（第１の構成）。
【００１０】
上記構成によれば、バックル枠体が操作体内に嵌合することで、バックル全体を薄手に形成することができ、バックル枠体を備えることによってベルトを安定的に保持することができる。
【００１１】
上記第１の構成において、前記バックル枠体は、先端にベルト挿通用開口部を備えている構成としてもよい（第２の構成）。
【００１２】
上記第２の構成によれば、バックル全体を薄手に形成することができることに加えて、バックル枠体のベルト挿通用開口部にベルトを通すことによって、ベルトの安定的な保持をより確実にすることができる。
【００１３】
上記第２の構成において、バックル枠体は、先端枠と該先端枠に直交する二本の側枠と、該二本の側枠の裏面からそれぞれ起立する脚部と、該脚部間に架橋される保持枠とを備え、少なくとも前記先端枠と前記二本の脚部と前記保持枠によって、前記ベルト挿通用開口部を形成し、前記バックル枠体が前記操作体内に嵌合した状態で、前記二本の脚部と前記保持枠が操作体から突出しているようにしてもよい（第３の構成）。
【００１４】
上記第３の構成によれば、バックル全体を薄手に形成することができることに加えて、バックル枠体は、先端枠と該先端枠に直交する二本の側枠と、該二本の側枠の裏面からそれぞれ起立する脚部と、該脚部間に架橋される保持枠とを備え、少なくとも前記先端枠と前記二本の脚部と前記保持枠によって、前記ベルト挿通用開口部を形成し、前記バックル枠体が前記操作体内に嵌合した状態で、前記二本の脚部と前記保持枠が操作体から突出していることとしたから、先端枠と保持枠によってベルトを挟み込むようにして確実に保持できる。また、操作部を片手で持ち上げる際に、突出した脚部に沿って親指を操作体の移動方向へスライドさせることで、より容易に操作体を移動させることができ、円滑な脱着・調節操作に資することができる。
【００１５】
上記いずれかの構成において、操作体は、一端に先端枠部を備え、他端側に回動中心部を備え、回動中心部の近傍に操作体側当接部を備え、前記ベルト係止部は、ベルトに係止するための係止突起と、前記操作体側当接部が当接する係止部側当接部を備え、前記ベルト連結部は、前記係止突起が出入り可能な逃がし部を備え、前記係止突起とベルト連結部における前記逃がし部内の底面との間にばねを備え、前記バックル枠体が前記操作体内に嵌合した状態で、前記ばねの付勢によって前記操作体側当接部と掛止部側当接部との当接が維持され、前記ばねの付勢に抗して、前記バックル枠体から前記操作体が離脱した状態で、前記係止突起が逃がし部内へ入り込むようにした構成としてもよい（第４の構成）。
【００１６】
上記第１から第４の何れかの構成によれば、バックル全体を薄手に形成した上で、ベルトを安定的に保持することができ、操作体を引き上げることで、係止突起とベルトの係止部との係合を解除できるベルト用バックルを提供することができる。
【００１７】
上記いずれかの構成において、操作体は、装飾部を備えていてもよい（第５の構成）。
【００１８】
操作体に装飾部を備えることによって、ベルトバックルの美感を向上させることができる。
【実施例１】
【００１９】
以下、図面を参照し、本考案の実施例に係るベルト用バックルを詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材の寸法比は、必ずしも実際の寸法比を示すものではない。本考案の説明上、図１（ａ）において左側を前方、上側を上方として説明する。また説明中、上方側は表面側、下方側は裏面側、底面側とも記載する。
【００２０】
本考案の実施例１に係るベルト用バックル１００は、図１に示すように、バックル本体２と操作体３とベルト係止部４とベルトガイド部５と、バネ体６と、軸ピン７を有する。
【００２１】
バックル本体２は、ベルトの一端をベルト用バックル１００に連結するためのベルト連結体２１と、該ベルト連結体２１の前端側に一体に形成されたバックル枠体２２と、から構成される。バックル枠体２２は後端側にバックル本体側軸穴２３を備えている。
【００２２】
操作体３は後端側に操作体側軸穴３３を備えている。
【００２３】
ベルト係止部４は基部４０の前端側面にベルト係止部側軸穴４３を備え、基部４０の後端に係止突起４２を備え、基部４０の後端側面には当接部４１を備えている。
【００２４】
ベルトガイド部５は、ガイド枠体５０とその両端に直交するガイド脚部５１とを有する。
【００２５】
バネ体６は、コイルスプリングであり、係止突起４２とバックル本体２との間に配置される。
【００２６】
ベルト用バックル１００の左右両側から、軸ピン７が操作体側軸穴３３と、バックル本体側軸穴２３と、ベルト係止部側軸穴４３とを連通することで、バックル本体２と、操作体３と、ベルト係止部４は、一体とされ、共通の回動軸Ｌを有する。
【００２７】
ベルト連結体２１の側面には溝部２１０を設けてある。ベルトガイド部５のガイド脚部５１が溝部２１０に嵌合される。尚、ベルトガイド部５のガイド脚部５１と溝部２１０にはそれぞれ重合される取付穴５１０、２１８を設けてあり、固定ピン８をそれぞれの取付穴５１０、２１８に差し込むことで、ベルトガイド部５とベルト連結体２１は固定される。
【００２８】
次に図２（ａ）にベルト用バックル１００の斜視図、（ｂ）にベルト用バックル１００の分解斜視図を示す。
【００２９】
図２に示すように、ベルト連結体２１は、ベルトＢの一端を接続固定するための部分である。ベルト連結体２１は、ベルトBの一端を接続するためのベルト連結用開口部２１１と、ベルトＢを固定するためのベルト固定部２１２を備えている。ベルト固定部２１２は、ベルト連結用開口部２１１の下縁近傍に設けられた連結用軸２１３を中心として、連結用爪部２１４を有する連結板２１５が回動可能に設けられた構成を有する。
【００３０】
またベルト連結体２１の前端側中央には切欠状の逃がし部２１６を備え、その底面には、バネ体６であるコイルスプリングを保持するための保持部２１７を備える。保持部２１７はコイルスプリングの下端を嵌め込むための凹部とその中央に突出した案内部を有する。
【００３１】
バックル枠体２２は、先端枠２２０と、その両端に接続され先端枠２２０に直交する二本の側枠２２１と、その各後端の間には基端枠２２４を有している。側枠２２１の後端および基端枠２２４は、ベルト連結体２１に一体として接続されている。
【００３２】
各側枠２２１の前端側の下面から下方に向けて脚部２２２が設けられており、脚部２２２間には保持枠２２３が架橋されている。先端枠２２０と二本の脚部２２２と保持枠２２３によって、ベルト挿通用開口部２２５が形成される。
ベルト挿通用開口部の高さは、掛止部Ｂ１を含むベルトＢ（図３参照。）の厚さより大きく形成されている。
【００３３】
操作体３は、操作体側先端枠３０とその両端に直交して設けられる操作体側側枠３１とを有し、コの字状として構成されている。
操作体３の底面側には、バックル枠体２２を嵌合するための操作体側凹部３４を備えている。左右の操作体側軸穴３３の後端側近傍に、操作体側当接部３２を備えている。
【００３４】
ベルト係止部４は、バックル枠体２２の基端枠２２４上に配置される。係止突起４２の下面には、バネ体６であるコイルスプリングの上端を保持する保持部４４を備える。保持部４４はコイルスプリングの上端が嵌り込む凹部とその中央に突出した案内部を有する。
【００３５】
以上の構成から、図１（ａ）、図２（ａ）に示すように、バックル枠体２２のうち、脚部２２２および保持枠２２３を除く部分が概ね操作体３の操作体側凹部３４に嵌入された状態となる。
【００３６】
そして、本実施例に係るベルト用バックル１００は、図３（ａ）に示すように、通常状態においては、コイルスプリングの弾性によって、係止突起４２は、逃がし部２１６から突出した状態でベルトＢの係止部Ｂ１と係止した状態を維持する。
【００３７】
またベルトＢは、ベルト挿通用開口部２２５を通ることによって、バックル枠体２２から外れないように、保持される。即ち、ベルト用バックル１００の裏面においてベルトＢの保持を十分に行うことができる。そして、バックル枠体２２は操作体３の操作体側凹部３４に嵌合し、ベルト用バックル１００は薄型形状を呈する。
【００３８】
操作体３を指等で持ち上げることにより、図３（ｂ）に示すように、操作体側当接部３２が、ベルト係止部４の当接部４１に当接して係止突起４２を逃し部２１６に押し込むことになる。これによって係止突起４２とベルトの係止部Ｂ１との係止は解除される。この状態において、ベルトＢの脱着および調節が可能となる。
【００３９】
上記実施例では、操作体３はコの字状としたが、本考案においては当該構成に限定されない。例えば、図４（ａ）に示すように、板状とすることもできる。また、図４（ｂ）に示すように、装飾部３５を設けることもできる。装飾部３５は図４（ｂ）に示すものに限られず、任意の形状を有するものとすることができる。
装飾部を設けることによって、ベルトバックルの美感を向上させることができる。
【００４０】
また上記実施例においては、バックル枠体２２のうち、脚部２２２および保持枠２２３を除く部分が概ね操作体３の操作体側凹部３４に嵌入された状態となるものとしたが、脚部２２２および保持枠２２３を除く部分が完全に操作体３の操作体側凹部３４に嵌入するまでの必要はなく、側枠２２１の一部が操作体側凹部３４に嵌入しない状態であってもよい。
【符号の説明】
【００４１】
１００    ベルト用バックル
２        バックル本体
２１      ベルト連結体
２１０    溝部
２１１    ベルト連結用開口部
２１２    ベルト固定部
２１３    連結用軸
２１４    連結用爪部
２１５    連結板
２１６    逃がし部
２１７    保持部
２１８    取付穴
２２      バックル枠体
２２０    先端枠
２２１    側枠
２２２    脚部
２２３    保持枠
２２４    基端枠
２２５    ベルト挿通用開口部
２３      バックル本体側軸穴
３        操作体
３０      操作体側先端枠
３１      操作体側側枠
３２      操作体側当接部
３３      操作体側軸穴
３４      操作体側凹部
３５      装飾部
４        ベルト係止部
４０      基部
４１      当接部
４２      係止突起
４３      ベルト係止部側軸穴
４４      保持部
５        ベルトガイド部
５０      ガイド枠体
５１      ガイド脚部
５１０    取付穴
６        バネ体
７        軸ピン
８        固定ピン
Ｂ        ベルト
Ｂ１      係止部
Ｌ        回動軸
【図１】
0003231345.tif 000003
【図２】
0003231345.tif 000004
【図３】
0003231345.tif 000005
【図４】
0003231345.tif 000006
【手続補正書】
【提出日】令和3年1月20日(2021.1.20)
【手続補正１】
【補正対象書類名】明細書
【補正対象項目名】００１５
【補正方法】変更
【補正の内容】
【００１５】
上記いずれかの構成において、操作体は、一端に操作体側先端枠を備え、他端側に回動中心部となる操作体側軸穴を備え、前記回動中心部の近傍に操作体側当接部を備え、前記ベルト係止部は、ベルトに係止するための係止突起と、前記操作体側当接部が当接する係止部側当接部を備え、前記ベルト連結体は、前記係止突起が出入り可能な逃がし部を備え、前記係止突起と前記ベルト連結体における前記逃がし部内の底面との間にばねを備え、前記バックル枠体が前記操作体内に嵌合した状態で、前記ばねの付勢によって前記操作体側当接部と前記係止部側当接部との当接が維持され、前記ばねの付勢に抗して、前記バックル枠体から前記操作体が離脱した状態で、前記係止突起が逃がし部内へ入り込むようにした構成としてもよい（第４の構成）。
【手続補正２】
【補正対象書類名】実用新案登録請求の範囲
【補正対象項目名】請求項４
【補正方法】変更
【補正の内容】
【請求項４】
操作体は、一端に操作体側先端枠を備え、他端側に回動中心部となる操作体側軸穴を備え、前記回動中心部の近傍に操作体側当接部を備え、
前記ベルト係止部は、ベルトに係止するための係止突起と、前記操作体側当接部が当接する係止部側当接部を備え、
前記ベルト連結体は、前記係止突起が出入り可能な逃がし部を備え、
前記係止突起と前記ベルト連結体における前記逃がし部内の底面との間にばねを備え、
前記バックル枠体が前記操作体内に嵌合した状態で、前記ばねの付勢によって前記操作体側当接部と前記係止部側当接部との当接が維持され、
前記ばねの付勢に抗して、前記バックル枠体から前記操作体が離脱した状態で、前記係止突起が逃がし穴内へ入り込むようにしたことを特徴とする請求項１から３のいずれか１項に記載のベルト用バックル。